(57)【要約】【課題】厚紙、樹脂、金属（箔）等から成る円筒状の簡易型枠を用いてコンクリート製の供試体を製造する過程で、コンクリート固化後にカッタによって簡易型枠を破断する際に、成形品たる供試体を損傷したり、作業者に怪我を負わせることなく、しかも未熟練者であっても作業性よく、簡易型枠を破断させて供試体を取り出すことができる。【解決手段】少なくとも一部に筒状部２１を備えた容器２０の筒状部を開封する開封器１であって、開封器は、片手により把持可能な筒状の開封器本体２と、該開封器本体の内周面適所から突設した容器切断用の切断刃１０と、を備えている。【選択図】　　　図２
2004138455.tif 000002
【特許請求の範囲】
【請求項１】
少なくとも一部に筒状部を備えた容器の該筒状部を開封する開封器であって、
前記開封器は、片手により把持可能な筒状の開封器本体と、該開封器本体の内周面適所から突設した容器切断用の切断刃と、を備えていることを特徴とする筒状容器の開封器。
【請求項２】
前記開封器は、径方向に伸縮可能な構成を備えていることを特徴とする請求項１に記載の筒状容器の開封器。
【請求項３】
前記開封器本体は、可撓性を有した矩形板材をＣ字状に湾曲させた略円筒状の構成を備えていることを特徴とする請求項２に記載の筒状容器の開封器。
【請求項４】
前記筒状容器は、コンクリート供試体を製作するための簡易型枠であることを特徴とする請求項１、２又は３の何れか一項に記載の筒状容器の開封器。
【請求項５】
前記容器の筒状部は、円筒形、円錐形、或いは切頭円錐形であることを特徴とする請求項１、２、３又は４に記載の筒状容器の開封器。
【請求項６】
請求項１、２、３、４又は５に記載の開封器により、前記容器の筒状部外周を切断開封する方法であって、
前記容器の筒状部の外周面に前記開封器本体を嵌合させ且つ前記切断刃の刃先部を筒状部適所に当接させた状態で前記開封器本体を回転させることにより、前記切断刃を回転移動させ、該切断刃によって筒状部の外壁を切断することを特徴とする開封器による開封方法。
【発明の詳細な説明】
【０００１】
【発明の属する技術分野】
本発明は筒状容器の開封器、及び開封方法の改良に関し、特に内容物を傷つけたり、作業中に怪我をする等の不具合がなく、しかも開封作業性が極めて良好な開封器に関するものである。
【０００２】
【従来の技術】
コンクリートの破壊強度を試験する圧縮試験機等において使用する標準供試体としては、規定寸法の円筒形状に成形された所要材齢のコンクリートブロックが用いられる。
この種の供試体の製作に当たっては、内面形状が円筒状の型が使用され、型内にコンクリートを打設し、密封して養生期間を経過した後に開封して内部から供試体を得る作業が行われる。
この種の型として、従来は、モールド成型用の金型が用いられ、金型内の円筒状のキャビティ内にコンクリートを充填し、固化後に型を開放して成形品としての供試体を取り出していた。この簡易型枠は、例えばアルミ、鉄等の金属から構成されていたが、金型が大型化、高コスト化する点や、養生期間経過後に供試体を取り出す作業性の点で問題があるため、最近では金型に代えて、簡易型枠と称される円筒状の容器を使用することが多くなっている。この種の簡易型枠としては、従来はアルミニウム、或いはプラスチック製のものが一般的であり、軸方向端面の開口部から型枠内部にコンクリートを充填してから該開口部を蓋により閉止し、養生期間経過後に型枠を開封することにより供試体を取り出していた。しかし、アルミニウムやプラスチックは、廃棄された場合に環境問題を惹起するため、最近ではアルミニウムやプラスチックに代えて、防水性、機械的強度を備え、且つ廃棄した場合にも燃やすことができる厚紙から成る簡易型枠が開発され、多用されるに至っている。
【０００３】
このような厚紙製の簡易型枠は、両端が開放した円筒体の一端開口をアルミニウム等の金属製蓋体によって閉止した構成を備え、成形に際しては、他端開口からコンクリートを充填してから蓋部材によって他端開口を閉止することによってモールド成形を行う。養生期間が経過して成形品としての供試体を取り出す場合には、カッタを用いた手作業によって、厚紙製の円筒体に対して軸方向端部側から螺旋状に切り込みを形成することにより、円筒体を破壊しながら取出し作業を行う。厚紙の内壁にはコンクリートとの離型性を高めるためのフィルムが積層されてはいるが、固化後の供試体を円筒体の一端開口からスムーズに取り出すことは困難であるため、円筒体を破壊する必要がある。
しかし、厚紙製の簡易型枠を用いた供試体のモールド成形においては、カッタを用いた開封時における作業性が最も問題となる。即ち、開封時には作業者は、片手に未開封状態の簡易型枠を支持した状態で、他方の手で市販のカッタを保持して厚紙の上端縁から螺旋状にほぼ全長に渡って切り込みを形成し、円筒体をばらした状態で内容物としての供試体を取り出すが、カッタによる切り込み作業は熟練を要する作業であり、しかも熟練者にとっても作業性の悪い作業である。それは、カッタによって供試体の外周面に傷を付けたり、自らの指等を傷つける事故が多々発生するからである。
【０００４】
特開平８−１５２３８６号公報には、コンクリート構造体と同じ断面寸法の空間部を確保し、この空間部の底に発泡断熱材の底板を配設し、その上に、上面開放の合成樹脂製周壁の外容器をスタンドにより支承して立設し、この外容器内に容易に破断可能な簡易型枠容器を隙間無く配置し、空間部内でこの簡易型枠容器内及び外容器外の両方へ構造体と同じコンクリートを打設してから、キャップにより封かんし、更に空間部の上を発泡断熱材で覆い、養生期間経過後に、容器を取り出して内部から供試体を得るようにした構造体コンクリートの供試体の製作方法及び装置が開示されている。これによれば、実際の構造体と同じ温度履歴を受けた供試体を得ることができる。
この従来例に記載の供試体の製造装置にあっても、供試体自体は簡易型枠容器内に収容された状態で装置から取り出されるため、簡易型枠容器を装置から取出した後に、簡易型枠容器を破壊して供試体を取り出す作業が必須となる。しかし、同公報には、簡易型枠容器を破断する方法について一切開示されていない。従って、上述の如くカッタを用いた破断方法を採らざるを得ないものと考えられる。
【特許文献１】特開平８−１５２３８６号公報
【０００５】
【発明が解決しようとする課題】
本発明は上記に鑑みてなされたものであり、厚紙、樹脂、金属（箔）等から成る円筒状の簡易型枠を用いてコンクリート製の供試体を製造する過程で、コンクリート固化後にカッタによって簡易型枠を破断する際に、成形品たる供試体を損傷したり、作業者が怪我することなく、しかも未熟練者であっても作業性よく、簡易型枠を破断させて供試体を取り出すことができる簡易型枠（筒状容器）の開封器、及び開封方法を提供することを目的としている。
【０００６】
【課題を解決するための手段】
上記目的を達成するため、請求項１の発明は、少なくとも一部に筒状部を備えた容器の該筒状部を開封する開封器であって、前記開封器は、片手により把持可能な筒状の開封器本体と、該開封器本体の内周面適所から突設した容器切断用の切断刃と、を備えていることを特徴とする。
例えば、養生期間を過ぎて固化したコンクリート供試体を内蔵した筒状容器を開封するに際して、筒状容器を構成する厚紙、樹脂、金属（箔）等の材料をカッタを用いずに、簡易、安全且つ正確に切断するために、本発明では筒状容器の外周に対して回転自在に嵌合する開封器本体と、開封器本体の内面から突出する切断刃から成る開封器を提供する。これによれば、切断刃の刃先部の角度を任意に設定することにより、筒状容器の外周面に沿って開封器を手動回転させた際に、任意の方向に筒状容器を切断、破断し、内容物を取り出すことが可能となる。
また、本発明の開封器による開封が可能な筒状容器の種類は、上記以外にも少なくとも一部に筒状部を備えた容器であればよい。
請求項２の発明は、請求項１において、前記開封器は、径方向に伸縮可能な構成を備えていることを特徴とする。
開封器を筒状容器の外周に嵌合させた上で切断作業を実施する必要があるため、開封器本体の内径寸法を予め筒状容器の外径寸法よりも少しく大きめに設定しておき、嵌合させた後で手の握力によって密着させるように構成すれば、作業性が向上する。
請求項３の発明は、請求項２において、前記開封器本体は、可撓性を有した矩形板材をＣ字状に湾曲させた略円筒状の構成を備えていることを特徴とする。
開封器本体を縮径、拡径可能に構成するためには、このように構成することが有効である。
請求項４の発明は、請求項１、２又は３において、前記筒状容器は、コンクリート供試体を製作するための簡易型枠であることを特徴とする。
本発明の開封器による開封対象物の一例として、簡易型枠を例示することができる。
請求項５の発明は、請求項１、２、３又は４において、前記容器の筒状部は、円筒形、円錐形、或いは切頭円錐形であることを特徴とする。
筒状部は、円筒形状に限らず、外周面に嵌合した開封器を回転させながら切断することができる形状であればどのような形状であってもよい。
請求項６の発明に係る開封方法は、請求項１、２、３、４又は５に記載の開封器により、前記容器の筒状部外周を切断開封する方法であって、前記容器の筒状部の外周面に前記開封器本体を嵌合させ且つ前記切断刃の刃先部を筒状部適所に当接させた状態で前記開封器本体を回転させることにより、前記切断刃を回転移動させ、該切断刃によって筒状部の外壁を切断することを特徴とする。
これによれば、効率的な切断作業を行うことができる。
【０００７】
【発明の実施の形態】
以下、本発明を図面に基づいて詳細に説明する。
図１（ａ）（ｂ）及び（ｃ）は本発明の一実施形態に係る筒状容器（簡易型枠）の開封器の外観斜視図、平面図、及び正面図であり、図２（ａ）（ｂ）及び（ｃ）は本発明の開封器による開封手順、開封方法を説明するための斜視図、正面図、及び斜視図である。
この開封器１は、少なくとも一部に筒状部２１を備えた容器２０の筒状部２１を手動開封する開封手段である。この実施形態では、容器２０の一例として、コンクリート供試体をモールド成形するための簡易型枠を用いて説明する。
開封器１は、片手により把持可能な筒状の開封器本体２と、開封器本体２の内周面適所から突設した容器切断用の切断刃１０と、を備えている。
開封器本体２は、径方向に伸縮可能な構成を備えており、片手の手のひらにて把持することにより、弾性的に縮径したり、原形状に拡径できるように構成されている。具体的には、開封器本体２は、樹脂、金属、厚紙等の可撓性（弾性）を有した矩形板材をＣ字状に湾曲させた略円筒状の構成を備えている。そして、開封器本体２の内径を予め容器２０の外径よりも多少大きめに設定しておくことにより、容器２０の外周面に対する取り付けを容易化できる一方で、取り付け後には片手により軽く握ることにより、開封器本体２の内周面を容器２０の外周面に密着させることが可能となる。
なお、この例では、開封器本体２は、容器２０の外面形状に合わせて筒状に構成されているが、後述するように容器２０が円錐形、或いは切頭円錐形等である場合には、それに合わせて開封器本体２の形状（特に内周形状）を円錐形、切頭円錐形等に構成する。
また、開放部５についても、この実施形態では軸方向と平行に延びる形状となっているが、軸方向と傾斜した方向へ延びる開放部形状としてもよい。
開封器本体２の内周面３は段差のない摩擦抵抗の少ない面であり、容器２０の外周面に対してスムーズに摺動できるように構成されている。また、開封器本体２の外周面には滑り止めの凹凸等を必要に応じて形成する。
【０００８】
また、この実施形態では、開封器本体２の上端縁を全周に渡って厚肉部４とし、この厚肉部４の内壁に一部を埋め込むように、切断刃１０を固定し、その刃先部１０ａを内側に突出させている。切断刃１０の刃先部１０ａの方向は水平方向（開封器本体の軸方向と直交する方向）であってもよいが、開封器１を容器２０の外周面に沿って回転させた際に、切断刃１０によって螺旋状の切断ラインを形成するためには、刃先部１０ａを斜め下向きに傾斜させて固定するのが好ましい。容器２０の筒状部２１を構成する材料である厚紙の肉厚は一定しているので、切断刃１０の突出長を予め適切に設定しておくことにより、厚紙だけを確実に切断することが可能となる。
また、この例では、一つの開封器本体２に対して一つの切断刃１０を設けたが、周方向位置をずらした複数の切断刃１０を設けてもよく、この場合には、後述する開封作業時における開封効率をアップさせることができる。
次に、容器２０は、コンクリート供試体を製造するための簡易型枠であり、厚紙から成る筒状部２１の底部に金属蓋体２２を予め固定した構成を有する。筒状部２１内に他端開口から未硬化状態にあるコンクリートを充填し、他端開口を図示しない蓋部材によって閉止して養生期間経過するまで固化させてから、蓋部材を除去する。この際、固化したコンクリート供試体３０と筒状部２１の内壁との間は密着して容易に剥離できないため、供試体３０を取り出すためには、筒状体２１を破断させる必要がある。
なお、本発明の開封器１を適用可能な容器としては、一部に筒状部を備えていれば足り、全体形状が筒状体である必要はない。また、本発明において筒状部２１とは、円筒形状に限らず、円錐形状、切頭円錐形状を含む。この場合には、開封器１の開封器本体の形状も、筒状部２１の外面形状に合わせた内面形状を備えたものとする。
要するに、開封器本体２の内面形状を、容器２０の外周面に密着させた状態で回転させることができるように構成すればよい。
【０００９】
次に、上記の開封器１を用いて容器２０を切断開封する方法について説明する。
まず、図２（ａ）に示す様に、容器２０の筒状部２１の外周面に開封器本体２を嵌合させる。開封器本体２の内径を予め、筒状部２１の外径よりも少しく大きめに設定しておくことにより、開封器本体２を筒状部２１の外周面に取り付ける作業が容易化する。この状態では、開封器本体２の内壁上部から突出した切断半１０が、筒状部２１の上端面に対して所定の角度で当接し、開封器１が筒状部２１の上部に対して取り付けられた状態となっている。
このように、切断刃１０の刃先部１０ａを筒状部２１の上端縁に当接させた状態で、開封器本体２を図２（ｃ）の矢印方向へ回転させることにより、切断刃１０が一体的に回転移動し、刃先部１０ａによって筒状部の外壁を切断することができる。この際、例えば、切断刃１０の刃先部１０ａを筒状部２１の軸方向に対して所定角度斜め下向きに固定しておくことにより、開封器本体２を人手により回転させた時に、刃先部１０ａが破線で示す螺旋状の切断ラインを経て移動しながら筒状部２１を構成する厚紙を分断することができる。この切断作業を切断刃１０が筒状部２１の下部（近傍）に達するまで行うことにより、厚紙を供試体３３０の外周面から容易に剥離することが可能となり、供試体３０の取出しが可能となる。
なお、本発明の開封器１による開封が可能な容器は、簡易型枠に限らず、筒状部を備えた容器であればどのようなものであっても良い。また、容器を構成する材料は、切断刃を備えた開封器によって破断可能な材料であれば、厚紙に限らず、樹脂、金属であってもよい。
また、容器を螺旋状に切断する必要が無く、軸方向と直交する方向へ切断する場合には、切断刃を水平に配置すればよい。
また、開封器本体２に予め切断刃１０を着脱自在に固定する支持部を設けておき、切断刃１０が摩耗等によって耐久性低下した場合には、これを新たなものと交換できるように構成してもよい。
【００１０】
【発明の効果】
以上のように本発明によれば、例えば、厚紙、樹脂、金属（箔）等から成る円筒状の簡易型枠を用いてコンクリート製の供試体を製造する過程で、コンクリート固化後にカッタによって簡易型枠を破断する際に、成形品たる供試体を損傷したり、作業者に怪我を負わせることなく、しかも未熟練者であっても作業性よく、簡易型枠を破断させて供試体を取り出すことができる。
【図面の簡単な説明】
【図１】
（ａ）（ｂ）及び（ｃ）は本発明の一実施形態に係る筒状容器（簡易型枠）の開封器の外観斜視図、平面図、及び正面図。
【図２】
（ａ）（ｂ）及び（ｃ）は本発明の開封器による開封手順、開封方法を説明するための斜視図、正面図、及び斜視図。
【符号の説明】
１　開封器、２　開封器本体、３　内周面、４　厚肉部、５　開放部、１０　切断刃、１０ａ　刃先部、２０　容器、２１　筒状部、２２　金属蓋体、３０　供試体。
【図１】
2004138455.tif 000003
【図２】
2004138455.tif 000004